(57)【要約】【課題】  表示画面における輝度均一性の低下を抑制することができるバックライト装置および表示装置を提供する。【解決手段】  画像を表示する液晶パネル８０に背面側から光を照射するバックライト装置１０は、光を出射する複数のＬＥＤ２１と、複数のＬＥＤ２１を支持する光源基板２と、光源基板２上に設けられた反射体４とを含む。反射体４には、複数のＬＥＤ２１の少なくとも一部からの出射光を、予め定める光照射領域に向けて全反射させる第１反射部４ａが形成されている。【選択図】      図１
2012243653.tif 000002
【特許請求の範囲】
【請求項１】
画像を表示する表示パネルに背面側から光を照射するバックライト装置であって、
光を出射する複数の光源と、
前記複数の光源を支持する基板と、
前記基板上に設けられ、前記複数の光源からの出射光を拡散反射させる反射体とを備え、
前記反射体は、
前記複数の光源の少なくとも一部に対向して設けられる反射部であって、光源に対向する側の面が、光源からの出射光を、予め定める光照射領域に向けて全反射させる反射面となる反射部を含むことを特徴とするバックライト装置。
【請求項２】
画像を表示する表示パネルに背面側から光を照射するバックライト装置であって、
光を出射する複数の光源と、
前記複数の光源を支持する基板と、
前記基板上に設けられ、前記複数の光源の少なくとも一部からの出射光の一部を予め定める光照射領域に向けて反射させ、かつ残余の光を透過させる反射部が形成された反射体と、を備えることを特徴とするバックライト装置。
【請求項３】
前記反射部は、前記基板に対する傾斜角度が前記光照射領域から遠ざかるにつれて小さくなるように異なって複数形成されてなることを特徴とする請求項１または２に記載のバックライト装置。
【請求項４】
前記反射部の反射面には、銀からなるコート層が形成されていることを特徴とする請求項１に記載のバックライト装置。
【請求項５】
前記反射部には、予め定める間隔をあけて複数の切り込みが断続的に形成され、該切り込みに沿って屈曲した形状に形成されることを特徴とする請求項１〜４のいずれか１つに記載のバックライト装置。
【請求項６】
表示パネルと、
前記表示パネルに背面側から光を照射するバックライト装置であって、請求項１〜５のいずれか１つに記載のバックライト装置とを備えることを特徴とする表示装置。
【発明の詳細な説明】
【技術分野】
【０００１】
本発明は、バックライト装置および表示装置に関する。
【背景技術】
【０００２】
液晶表示装置は、たとえば携帯電話機、デジタルカメラ、携帯ゲーム機器、カーナビゲーションシステム、パーソナルコンピュータ、および薄型テレビジョンなどに設けられる。液晶表示装置は、自発光機能を持たない表示装置であるので、表示画面である液晶パネルに、バックライト装置によって背面から光を照射するようになっている。
【０００３】
図１０は、従来の液晶表示装置１５０の構成を示す断面図である。液晶表示装置１５０は、液晶パネル８０と、バックライト装置９０と、光学シート８１と、拡散板８２と、樹脂フレーム８４と、ベゼル８３とを含む。
【０００４】
バックライト装置９０は、液晶パネル８０の背面側から光を照射する複数のＬＥＤ２１と、複数のＬＥＤ２１を支持する光源基板２と、ＬＥＤ２１から出射される光を反射させる反射シート４００と、光源基板２が底部に配置され、液晶パネル８０の固定に用いられる基台となるバックライトシャーシ１とを含む。液晶パネル８０の面方向外縁部は、枠状のベゼル８３とバックライトシャーシ１との間に挟持される。反射シート４００には、複数のＬＥＤ２１のそれぞれに対応する位置に開口部が形成されており、光源基板２および樹脂フレーム８４を被覆する。
【０００５】
光学シート８１および拡散板８２は、液晶パネル８０とバックライト装置９０との間に重ね合わせて設けられる。光学シート８１および拡散板８２は、バックライト装置９０に備わるＬＥＤ２１から液晶パネル８０に照射される光を制御するものであり、たとえば、拡散板８２は、入射された光を面方向に拡散することによって、液晶パネル８０において輝度が局所的に偏ることを防止する。光学シート８１および拡散板８２は、その端部が、四角柱の樹脂フレーム８４によって支持されている。
【０００６】
近年、液晶表示装置は、表示画面側から見たバックライトシャーシおよびベゼルの幅が限りなく小さくされる（狭額縁化される）傾向にある。図１１は、狭額縁化された従来の液晶表示装置１５１の構成を示す断面図である。このような液晶表示装置１５１では、光学シート８１および拡散板８２を支持する樹脂フレーム８５において、拡散板８２を支持する支持面は、拡散板８２の周縁端部から内方になるにつれて拡散板８２から離反するように湾曲している。これによって、液晶表示装置１５１では、拡散板８２の端部８７をＬＥＤ２１からの出射光によって照射することができるので、図１０に示す液晶表示装置１５０よりも、有効表示エリア８６を広くすることができる。
【０００７】
しかしながら、液晶表示装置１５１において、拡散板８２の端部８７にはＬＥＤ２１からの出射光が届きにくく、拡散板８２の端部８７の入射光量は、拡散板８２の中央部に比べて少ない。そのため、拡散板８２の出射面において、端部８７の出射光量が低下し、出射量が不均一になるので、表示画面における輝度均一性が低下するという問題がある。
【０００８】
また、連結部材を介して互いに連結可能な単一の大きさの光源基板もしくは複数種類の長さの光源基板を備え、表示画面の大きさに応じて複数の光源基板が連結されたバックライト装置がある。このようなバックライト装置では、表示画面が大きい場合であっても、大型の光源基板を用いることなく、複数の光源基板を連結させることにより表示画面の大きさに対応させることができる。しかしながら、連結部材が配置される部分に対応する表示画面の領域部分は、光量が不足し、表示画面における輝度均一性が低下するという問題がある。
【０００９】
特許文献１には、表面が、一端面から入射されて導かれた光が出射する出射面であり、裏面に、曲面と平面と傾斜面とが連続して形成された導光板を備える液晶表示装置が開示されている。
【００１０】
また、特許文献２には、光を反射させる反射部材と、反射部材の光反射面側に配置された導光部と、導光部に向けて光を出射する発光素子とを備える発光光源を備える液晶表示装置が開示されている。
【先行技術文献】
【特許文献】
【００１１】
【特許文献１】特開２００３−４５２１６号公報
【特許文献２】特開２００６−１４８０３６号公報
【発明の概要】
【発明が解決しようとする課題】
【００１２】
しかしながら、特許文献１に開示の技術では、導光板から出射された光は、液晶パネルに垂直に入射し、特許文献２に開示の技術においても、導光部から出射された光は、液晶パネルに垂直に入射するようになっている。すなわち、特許文献１，２に開示の技術は、前述の狭額縁化された液晶表示装置１５１における拡散板８２の端部８７、連結部材が配置される部分に対応する領域部分などの、光量が不足する部分に向けて光を導くことができず、表示画面における輝度均一性が低下する問題を解決することはできない。
【００１３】
本発明の目的は、表示画面における輝度均一性の低下を抑制することができるバックライト装置および表示装置を提供することである。
【課題を解決するための手段】
【００１４】
本発明は、画像を表示する表示パネルに背面側から光を照射するバックライト装置であって、
光を出射する複数の光源と、
前記複数の光源を支持する基板と、
前記基板上に設けられ、前記複数の光源からの出射光を拡散反射させる反射体とを備え、
前記反射体は、
前記複数の光源の少なくとも一部に対向して設けられる反射部であって、光源に対向する側の面が、光源からの出射光を、予め定める光照射領域に向けて全反射させる反射面となる反射部を含むことを特徴とするバックライト装置である。
【００１５】
また本発明は、画像を表示する表示パネルに背面側から光を照射するバックライト装置であって、
光を出射する複数の光源と、
前記複数の光源を支持する基板と、
前記基板上に設けられ、前記複数の光源の少なくとも一部からの出射光の一部を予め定める光照射領域に向けて反射させ、かつ残余の光を透過させる反射部が形成された反射体と、を備えることを特徴とするバックライト装置である。
【００１６】
また本発明は、前記反射部は、前記基板に対する傾斜角度が前記光照射領域から遠ざかるにつれて小さくなるように異なって複数形成されてなることを特徴とする。
【００１７】
また本発明は、前記反射部の反射面には、銀からなるコート層が形成されていることを特徴とする。
【００１８】
また本発明は、前記反射部には、予め定める間隔をあけて複数の切り込みが断続的に形成され、該切り込みに沿って屈曲した形状に形成されることを特徴とする。
【００１９】
また本発明は、表示パネルと、
前記表示パネルに背面側から光を照射するバックライト装置であって、前記バックライト装置とを備えることを特徴とする表示装置である。
【発明の効果】
【００２０】
本発明によれば、バックライト装置は、光を出射する複数の光源と、複数の光源を支持する基板と、基板上に設けられ、光源からの出射光を拡散反射させる反射体とを含む。反射体は、複数の光源の少なくとも一部に対向して設けられる反射部を含み、その反射部は、光源に対向する側の面が、光源からの出射光を、予め定める光照射領域に向けて全反射させる反射面となっている。
【００２１】
複数の光源の少なくとも一部からの出射光を、光量が不足する領域部分となる予め定める光照射領域に向けて全反射させることによって、光照射領域の光量不足を解消することができる。そのため、表示パネルの表示画面における輝度均一性の低下を抑制することができる。
【００２２】
また本発明によれば、バックライト装置は、光を出射する複数の光源と、複数の光源を支持する基板と、基板上に設けられた反射体とを含む。反射体には、複数の光源の少なくとも一部からの出射光の一部を予め定める光照射領域に向けて反射し、かつ残余の光を透過させる反射部が形成されている。
【００２３】
複数の光源の少なくとも一部からの出射光を、光量が不足する領域部分となる予め定める光照射領域に向けて全反射させることによって、光照射領域の光量不足を解消することができる。そのため、表示パネルの表示画面における輝度均一性の低下を抑制することができる。
【００２４】
また本発明によれば、反射体には、基板に対する傾斜角度が異なる複数の反射部が形成される。複数の反射部の基板に対するそれぞれの傾斜角度は、光照射領域から遠ざかるにつれて小さくなる。これによって、複数の反射部から、１つの光照射領域に向けて光源からの出射光を反射させることができるので、光照射領域の光量不足を充分に解消することができる。
【００２５】
また本発明によれば、反射部には、銀からなるコート層が形成されている。これによって、光源からの出射光を、光照射領域に向けて確実に全反射させることができる。
【００２６】
また本発明によれば、反射部は、予め定める間隔をあけて断続的に形成される複数の切り込みに沿って屈曲した形状に形成される。これによって、たとえば、バックライト装置の組立作業時において反射体を折り曲げ加工するときに、反射体を容易に精度よく折り曲げ加工することができる。
【００２７】
また本発明によれば、表示装置は、表示パネルと、表示パネルに背面側から光を照射するバックライト装置とを含み、バックライト装置が、本発明のバックライト装置である。そのため、表示装置は、表示パネルにおける輝度均一性の低下を抑制することができ、表示パネルに、高画質な画像情報を出力することができる。
【図面の簡単な説明】
【００２８】
【図１】本発明の実施の一形態である液晶表示装置１００の構成を示す図である。
【図２】本発明の第１実施形態のバックライト装置１０の要部の構成を示す図である。
【図３】第１反射部４ａの一部を拡大して示す図である。
【図４】図２に示す第１反射部４ａを拡大して示す図である。
【図５】反射体８の第１反射部８ａの構成の一部を示す図である。
【図６】反射体１１の構成を示す斜視図である。
【図７】反射体１１を図６の上方から見た展開図である。
【図８】反射体１１を図６の下方から見た展開図である。
【図９】本発明の第２実施形態のバックライト装置２０における反射体４０の構成の一部を示す図である。
【図１０】従来の液晶表示装置１５０の構成を示す断面図である。
【図１１】狭額縁化された従来の液晶表示装置１５１の構成を示す断面図である。
【発明を実施するための形態】
【００２９】
図１は、本発明の実施の一形態である液晶表示装置１００の構成を示す図である。表示装置である液晶表示装置１００は、テレビジョンまたはパーソナルコンピュータなどにおいて、画像情報を出力することによって、画像を表示画面に表示する装置である。表示画面は、液晶素子を有する透過型の液晶パネル８０によって形成され、液晶パネル８０は、平板状の形状に形成される。液晶パネル８０において、厚み方向の２つの向きを前面８０ａ側および背面８０ｂ側とする。液晶表示装置１００は画像を、前面８０ａ側から見て視認可能に表示する。
【００３０】
液晶表示装置１００は、液晶パネル８０と、本発明の第１実施形態であるバックライト装置１０または本発明の第２実施形態であるバックライト装置２０と、ベゼル８３とを備える。液晶表示装置１００は、前面８０ａ側（表示画面側）から見たバックライトシャーシ１およびベゼル８３の幅が限りなく小さくされた、すなわち狭額縁化された表示装置である。
【００３１】
液晶パネル８０は、バックライト装置１０が備える後述するバックライトシャーシ１の底部１ａと平行に、側壁部１ｂにより支持される。液晶パネル８０は、２枚の基板を含み、厚み方向から見て長方形の板状に形成される。液晶パネル８０は、ＴＦＴ（thin film transistor）等のスイッチング素子を含み、２枚の基板の隙間には液晶が注入されている。液晶パネル８０は、背面８０ｂ側に配置されるバックライト装置１０のＬＥＤ２１からの出射光がバックライトとして照射されることによって、表示機能を発揮する。前記２枚の基板には、液晶パネル８０における画素の駆動制御用のドライバー（ソースドライバ）、種々の素子および配線が設けられている。
【００３２】
また、液晶表示装置１００において、液晶パネル８０とバックライトシャーシ１の底部１ａとの間には、光学シート８１および拡散板８２が、液晶パネル８０に平行に配置される。なお、光学シート８１は、拡散板８２よりも前面８０ａ側に配置される。
【００３３】
拡散板８２は、ＬＥＤ２１からの出射光を、面方向に拡散することによって、輝度が局所的に偏ることを防止する。光学シート８１は、拡散板８２を介して背面８０ｂ側から到達した光の進行の向きを、前面８０ａ側に向ける。拡散板８２では、輝度が面方向に偏ることを防ぐために、光の進行方向は、ベクトル成分として、面方向の成分を多く含む。これに対し光学シート８１は、面方向のベクトル成分を多く含む光の進行方向を、厚み方向の成分を多く含む光の進行方向に変換する。具体的には、光学シート８１は、レンズまたはプリズム状に形成される部分が面方向に多数並んで形成され、これによって、厚み方向に進行する光の拡散度を小さくする。したがって、液晶表示装置１００による表示において、輝度を上昇させることができる。
【００３４】
本発明の第１実施形態であるバックライト装置１０は、液晶表示装置１００に備えられ、透過型の液晶パネル８０に背面８０ｂ側から光を照射する装置である。バックライト装置１０は、基台であるバックライトシャーシ１と、樹脂フレーム８５と、複数の光源であるＬＥＤ２１（Light Emitting Diode）と、複数の光源基板２と、反射体４とを含む。
【００３５】
バックライトシャーシ１は、バックライト装置１０の基本構造体であり、液晶パネル８０と予め定められた間隔をあけて対向する矩形状の底部１ａと、底部１ａに連なり底部１ａから立ち上がる側壁部１ｂとからなる。底部１ａは、厚み方向から見て長方形に形成される。側壁部１ｂは、底部１ａのうち短辺を成す２つの端部と、長辺を成す２つの端部とから液晶パネル８０の前面８０ａ側に立ち上がって形成される。これによって、平板状の側壁部１ｂが底部１ａの周囲に４つ、形成される。
【００３６】
樹脂フレーム８５は、バックライトシャーシ１の側壁部１ｂおよび底部１ａの一部を覆うように設けられた額縁状の部材であり、光学シート８１および拡散板８２を支持する。樹脂フレーム８５は、４つの側壁部１ｂの全てを覆うように構成される。樹脂フレーム８５において、拡散板８２を支持する支持面は、拡散板８２の周縁端部（端部８７）から内方になるにつれて拡散板８２から離反するように湾曲している。すなわち、樹脂フレーム８５は、支持面において、拡散板８２を支持するための幅、および機械的強度を確保した上で、後述する反射面５から反射された反射光の経路よりも外方側に退避して形成される。樹脂フレーム８５で拡散板８２を支持する構成において、樹脂フレーム８５の支持面が湾曲して形成されているので、拡散板８２の端部８７には、樹脂フレーム８５と拡散板８２とによって隙間が形成されている。
【００３７】
複数の光源基板２は、それぞれ、ＬＥＤ２１が、予め定められた等間隔をあけてマトリックス状に配列して実装された基板である。
【００３８】
複数の光源基板２は、それぞれ、導電層が両面に形成されたガラスエポキシ基板であり、厚み方向から見て長方形で薄板状に形成されている。本実施形態では、複数の光源基板２はそれぞれ同一形状である。
【００３９】
各光源基板２は、その長手方向がバックライトシャーシ１の底部１ａの長辺方向と平行になるように、底部１ａに固定部材（たとえば、リベット、ビスなど）により固定される。
【００４０】
複数の光源基板２は、底部１ａの長辺方向に隣接する光源基板２における長手方向端部同士が、図示しない連結部材によって互いに連結されている。連結部材としては、コネクタ、ハーネスなどの配線部品を挙げることができる。
【００４１】
本実施形態のバックライト装置１０は、拡散板８２の端部８７、複数の光源基板２を連結する連結部材が配置される部分に対応する領域部分などの、光量が不足する予め定める光照射領域に向けて、ＬＥＤ２１からの出射光を反射体４によって導くように構成されている。以下では、バックライト装置１０が、予め定める光照射領域として、拡散板８２の端部８７に向けてＬＥＤ２１からの出射光を反射体４によって導くように構成されているものとして説明する。
【００４２】
図２は、本実施形態のバックライト装置１０の要部の構成を示す図である。図３は、ＬＥＤ２１からの出射光が反射面５で全反射される様子を示す図である。なお、図２では、理解が容易となるように、バックライトシャーシ１の底部１ａの短辺方向両端部に対応して設けられる第１反射部４ａを省略して示す。
【００４３】
反射体４は、バックライトシャーシ１の４つの側壁部１ｂを覆うように設けられる樹脂フレーム８５で規定される全領域にわたって設けられる。反射体４は、複数のＬＥＤ２１のうちの一部のＬＥＤ２１から、その光軸方向に離れるにつれて互いに近接するように屈曲した形状に折り曲げられて形成される。そして、反射体４は、屈曲部を境界にして、被覆部６と支持部７とを含んで構成される。このように、反射体４は、複数のＬＥＤ２１のうちの一部と対向する、すなわち、複数のＬＥＤ２１のうちの一部を覆うように屈曲して設けられる第１反射部４ａと、光源基板２に沿って光源基板２上に設けられる第２反射部４ｂと、を有する。本実施形態では、第１反射部４ａは、反射体４の周縁端部に形成されている。すなわち、第１反射部４ａは、マトリックス状に配列された複数のＬＥＤ２１のうち、最外周に配列されるＬＥＤ２１とその内側に配列されるＬＥＤ２１とを覆うように設けられている。
【００４４】
反射体４は、ＬＥＤ２１からの出射光に対して高い反射率、理想的には１００％の反射率を有する。反射体４は、蛍光剤を含有した発泡性ＰＥＴ（Polyethylene Terephthalate）からなる。発泡性ＰＥＴとしては、たとえば、東レ株式会社製のＥ６０Ｖ（商品名）などを挙げることができる。
【００４５】
第１反射部４ａは、対向するＬＥＤ２１からの出射光を、拡散板８２の端部８７に向けて全反射させる反射面５を有する被覆部６と、被覆部６を支持する支持部７とを含む。
【００４６】
被覆部６は、矩形薄板状に形成されており、反射面５が、ＬＥＤ２１と対向する側の面となり、その反射面５と反対側の面が入射した光を拡散反射させるように構成されている。
【００４７】
支持部７は、被覆部６の光源基板２に対する遠端部から連なって光源基板２上に設けられる。
【００４８】
支持部７には、ＬＥＤ２１からの出射光が拡散板８２の端部８７に向けて全反射できるように複数の開口部４ｄが形成されている。本実施形態では、開口部４ｄが、第１反射部４ａで覆われた全てのＬＥＤ２１のそれぞれに対応して設けられているが、これに限定されるものではなく、数個のＬＥＤ２１を一群としてその一群に対応して設けられてもよい。開口部４ｄの数が少ないほど、すなわち、１つの開口部４ｄの大きさが大きいほど、被覆部６から全反射される光、およびＬＥＤ２１からの出射光を効率的に拡散板８２に向けて入射させることができる。
【００４９】
支持部７は、被覆部６を支持できる構造であれば、被覆部６の光源基板２に対する遠端部から連なって設けられる構成に限定されず、たとえば被覆部６の中央を支持するように構成されてもよい。また支持部７は、被覆部６のみであってもＬＥＤ２１を覆う構造を保持できるのであれば、設けなくてもよい。
【００５０】
被覆部６には、銀蒸着などによって、銀などからなるコート層が形成されており、このコート層が形成された面が、拡散板８２の端部８７に向けてＬＥＤ２１からの出射光を全反射させる反射面５である。
【００５１】
複数のＬＥＤ２１のうちの一部のＬＥＤ２１からの出射光を、拡散板８２の端部８７に向けて全反射させることによって、拡散板８２の端部８７に、ＬＥＤ２１からの出射光を充分な光量で入射させることができるので、面方向における拡散板８２の入射光量を均一にすることができる。そのため、バックライト装置１０は、ＬＥＤ２１からの出射光を、液晶パネル８０に向けて効率よく拡散することができ、液晶パネル８０における輝度均一性の低下を抑制することができる。
【００５２】
被覆部６の反射面５によって全反射された光が進行する方向の光源基板２に対する角度（光の進行角度）は、被覆部６の光源基板２に対する傾斜角度によって調整される。被覆部６の光源基板２に対する傾斜角度は、４５°以上９０°未満の範囲内で調整されることが好ましい。この範囲内において、被覆部６の光源基板２に対する傾斜角度が大きいほど、反射面５によって全反射された光の進行角度が大きくなり、第１反射部４ａから比較的近い領域に、反射面５によって全反射された光を導くことができる。また、被覆部６の光源基板２に対する傾斜角度が小さいほど、反射面５によって全反射された光の進行角度が小さくなり、第１反射部４ａから比較的遠い領域に、反射面５によって全反射された光を導くことができる。
【００５３】
図４は、図２に示す第１反射部４ａを拡大して示す図である。本実施形態では、第１反射部４ａが複数設けられており、それぞれの第１反射部４ａが、複数のＬＥＤ２１を覆っている。各第１反射部４ａの被覆部６は、光源基板２に対する傾斜角度がそれぞれ異なり、この光源基板２に対するそれぞれの傾斜角度θ１，θ２は、拡散板８２の端部８７から遠ざかるにつれて小さくなっている（θ１＞θ２）。これによって、複数の第１反射部４ａから、拡散板８２の端部８７に向けてＬＥＤ２１からの出射光を導くことができるので、拡散板８２の端部８７における光量を充分に確保することができる。なお、第１反射部４ａの個数、および１つの第１反射部４ａが覆うＬＥＤ２１の個数は、拡散板８２の端部８７の領域広さに応じて適宜変更されることが好ましい。
【００５４】
本実施形態では、拡散板８２の端部８７における光量を充分に確保するために、第１反射部４ａの形成位置が反射体４の周縁端部であるが、第１反射部４ａの形成位置は反射体４の周縁端部に限定されない。たとえば、反射体４の中央部に第１反射部４ａを形成し、そこから拡散板８２の端部８７に向かってＬＥＤ２１からの出射光を全反射させてもよい。また、本実施形態では、第１反射部４ａで覆われていないＬＥＤ２１を挟んで、複数の第１反射部４ａが形成されているが、第１反射部４ａで覆われていないＬＥＤ２１を挟むことなく、複数の第１反射部４ａが形成されてもよい。
【００５５】
第２反射部４ｂは、矩形薄板状に形成され、反射体４の中央部において、光源基板２上に設けられる。この第２反射部４ｂは、ＬＥＤ２１からの出射光を拡散反射させる。第２反射部４ｂには、第１反射部４ａで覆われていない全てのＬＥＤ２１それぞれに対応する位置に開口部４ｃが形成されている。第２反射部４ｂは、光源基板２が一方面（液晶パネル８０の背面８０ｂ側）に接触して設けられ、ＬＥＤ２１が開口部４ｃから他方面（液晶パネル８０の前面８０ａ側）に露出される。本実施形態において、開口部４ｃの形状は、正方形であるが、円形であってもよい。
【００５６】
本実施形態において、反射体４の第１反射部４ａと第２反射部４ｂとは一体的に形成されている。この場合、反射体４は、裏面に銀からなるコート層が形成されたシート状の部材を、屈曲した形状に折り曲げることで第１反射部４ａを形成して作製することができる。折り曲げた後の反射体４は、たとえばリベット、ビスなどの固定部材で光源基板２に対して固定される。このような作製方法であれば、第１反射部４ａおよび第２反射部４ｂを有する反射体４を、既存の反射シートで容易に作製することができる。
【００５７】
反射体４は、前述したように、屈曲部を境界にして被覆部６と支持部７とを含んで構成されるが、その屈曲部に、予め定める間隔をあけて断続的に形成される複数の切り込み（ミシン目）が形成されているのが好ましい。この切り込みに沿って折り曲げることで第１反射部４ａを形成することができる。これによって、第１反射部４ａは、複数の切り込みに沿って正確に屈曲した形状となり、また、たとえば、バックライト装置１０の組立作業時において反射体４を折り曲げ加工するときに、反射体４を容易に精度よく折り曲げ加工することができる。さらに、このような方法であれば、第１反射部４ａを形成するための特別な金型を必要とせず、コストを低減することができる。なお、第１反射部４ａと第２反射部４ｂとは、一体的に形成されず、別体として形成されてもよい。
【００５８】
また、反射体４は、図５に示すような構成の反射体８であってもよい。図５は、反射体８の第１反射部８ａの構成の一部を示す図である。反射体８には、第３反射部９が形成されている。この第３反射部９は、被覆部６の反射面５に対向する光源基板２の領域部分を覆い、かつ第２反射部４ｂに連結されている。第３反射部９には、ＬＥＤ２１に対応する位置に、開口部４ｅが形成されている。本実施形態において、開口部４ｅの形状は、正方形であるが、円形であってもよい。第３反射部９が形成されることによって、ＬＥＤ２１からの出射光を、拡散板８２に向かってより多く拡散反射させることができる。
【００５９】
図６は、反射体１１の構成を示す斜視図である。図７は反射体１１を図６の上方から見た展開図であり、図８は反射体１１を図６の下方から見た展開図である。
前述では、複数の第１反射部４ａが、光源基板２上にマトリクス状に配列される複数のＬＥＤ２１のうち、最外周に配列されるＬＥＤ２１とその内側に配列されるＬＥＤ２１とを覆うように設けられた構成の反射体４について説明した。これに対して、反射体１１は、最外周よりも１列内側に配列されるＬＥＤ２１を１つの第１反射部１１ａで覆うように構成される。
【００６０】
反射体１１は、１パーツで形成される。反射体１１は、平面視の形状が矩形で平板状の第１構成部１２と、第１構成部１２にｘ方向に関する一側部に連なる第２構成部１３ｘと、第２構成部１３ｘにｘ方向に関する一側部に連なる第３構成部１４ｘと、第３構成部１４ｘにｘ方向に関する一側部に連なる第４構成部１５ｘとを含む。
【００６１】
前記第１構成部１２は、ｘ方向およびｙ方向に間隔をあけてマトリクス状に設けられ、平面視で矩形状の複数の開口部１１ｃが形成される。第１構成部１２の前記一側部には、第２構成部１３ｘが第１構成部１２の拡散反射面から起立する方向に屈曲して連なり、第２構成部１３ｘの前記第１構成部１２寄りの一側部から最も離れた他側部には、第２構成部１３ｘが前記起立する方向とは逆方向、すなわち第１構成部１２の拡散反射面を含む仮想一平面に近接する方向に鋭角に屈曲して第３構成部１４ｘが連なる。第２構成部１３ｘと第３構成部１４ｘとは、予め定める角度を成して、ｙ方向に垂直な断面が逆Ｖ字状に形成される。
【００６２】
さらに第３構成部１４ｘには、前記第１構成部１２と平行となるように第４構成部１５ｘが屈曲して連なる。第４構成部１５ｘの拡散反射面は、第１構成部１２の拡散反射面と共通な一平面を成す。
【００６３】
前記第１構成部１２の他側部に連なる第２〜第４構成部１３ｙ，１４ｙ，１５ｙは、第１構成部１２の一側部に連なる前述の第２〜第４構成部１３ｘ，１４ｘ，１５ｘと同様に構成され、対応する部分に同一の参照符に添え字「ｙ」を付し、重複する部分の説明は省略する。
【００６４】
第２構成部１３ｙの前記第２構成部１３ｘに隣接する長手方向一端部には、反射体１１が組立てられた状態で、ｘ方向の第２構成部１３ｘとの間に発生する隙間を塞ぐように、大略的三角形の板状体から成るコーナー反射板１６が設けられる。このコーナー反射板１６は、前記第２構成部１３ｙの長手方向一端部に連なって一体的に形成されてもよく、別途に製造した拡散反射板を各第２構成部１３ｘ，１３ｙの長手方向一端部の端辺部分に接着剤によって接着して接合されてもよい。コーナー反射板１６が前記第２構成部１３ｙの長手方向一端部に連なって一体的に形成されている本実施形態においては、コーナー反射板１６の前記第２構成部１３ｘに隣接する一端部に接続部１６ａが連なっており、反射体１１が組立てられた状態において、接続部１６ａは、その拡散反射面が、第２構成部１３ｘの反射面と接続されている。
【００６５】
反射体１１の第１構成部１２および第４構成部１５ｘ，１５ｙによって、前記反射体４の第２反射部４ｂと同様の効果を発揮でき、第２構成部１３ｘ，１３ｙおよび第３構成部１４ｘ，１４ｙによって、前記反射体４の第１反射部４ａと同様の効果を発揮することができるので、反射体１１を用いることによって、ＬＥＤ２１からの出射光を、液晶パネル８０に向けて効率よく拡散することができ、液晶パネル８０における輝度均一性の低下を抑制することができる。
【００６６】
さらに、反射体１１であれば、コーナー反射板１６によって、拡散板８２の端部８７だけではなく、拡散板８２の隅部にも、ＬＥＤ２１からの出射光を全反射させることができ、液晶パネル８０における輝度均一性の低下をより一層抑制することができる。
【００６７】
図９は、本発明の第２実施形態のバックライト装置２０における反射体４０の構成の一部を示す図である。バックライト装置２０は、第１の実施形態であるバックライト装置１０の反射体４と構造が異なる反射体４０を備える。その他の構成は、バックライト装置１０と同様である。
【００６８】
反射体４０は、バックライトシャーシ１の４つの側壁部１ｂを覆うように設けられる樹脂フレーム８５で規定される全領域にわたって設けられる。反射体４０は、複数のＬＥＤ２１のうちの一部のＬＥＤ２１から、その光軸方向に離れるにつれて互いに近接するように屈曲した形状に折り曲げられて形成される。そして、反射体４０は、屈曲部を境界にして、被覆部４６と支持部４７とを含んで構成される。このように、反射体４０は、複数のＬＥＤ２１のうちの一部と対向する、すなわち、複数のＬＥＤ２１のうちの一部を覆うように屈曲して設けられる第１反射部４０ａと、光源基板２に沿って光源基板２上に設けられる第２反射部４０ｂと、を有する。本実施形態では、第１反射部４０ａは、反射体４０の周縁端部に形成されている。すなわち、第１反射部４０ａは、マトリックス状に配列された複数のＬＥＤ２１のうち、最外周に配列されるＬＥＤ２１とその内側に配列されるＬＥＤ２１とを覆うように設けられている。
【００６９】
第１反射部４０ａは、対向するＬＥＤ２１からの出射光の一部を、拡散板８２の端部８７に向けて反射させ、かつ残余の光の一部を透過させる被覆部４６と、被覆部４６を支持する支持部４７とを含む。
【００７０】
第１反射部４０ａは、ＬＥＤ２１からの出射光に対する反射率（以下では、単に「反射率」と称する）とＬＥＤ２１からの出射光に対する透過率（以下では、単に「透過率」と称する）とが、拡散板８２の端部８７において不足する光量に応じて適宜調整されることが好ましい。具体的には、拡散板８２の端部８７において不足する光量が比較的多い場合には、第１反射部４０ａを、反射率が大きく透過率が小さいシート状の部材で形成し、拡散板８２の端部８７において不足する光量が比較的少ない場合には、第１反射部４０ａを、反射率が小さく透過率が大きいシート状の部材で形成する。
【００７１】
第１反射部４０ａを構成するシート状の部材としては、たとえば、住友スリーエム株式会社製のルーチェ（商品名）およびシルバー３５Ｘ（商品名）などが挙げられる。これらの商品は、可視光線の反射率が３４〜３５％であり、透過率が３７〜３８％である。反射率および透過率の値は、ＪＩＳ−Ａ−５７５９に基づいて測定することができる。
【００７２】
被覆部４６は、矩形薄板状に形成され、支持部４７は、被覆部４６の光源基板２に対する遠端部から連なって光源基板２上に設けられる。
【００７３】
支持部４７には、ＬＥＤ２１からの出射光の一部が拡散板８２の端部８７に向けて反射できるように複数の開口部４０ｄが形成されている。本実施形態では、開口部４０ｄが、第１反射部４０ａで覆われた全てのＬＥＤ２１のそれぞれに対応して設けられているが、これに限定されるものではなく、数個のＬＥＤ２１を一群としてその一群に対応して設けられてもよい。開口部４０ｄの数が少ないほど、すなわち、１つの開口部４０ｄの大きさが大きいほど、被覆部４６で反射される光、およびＬＥＤ２１からの出射光を効率的に拡散板８２に向けて入射させることができる。
【００７４】
支持部４７は、被覆部４６を支持できる構造であれば、被覆部４６の光源基板２に対する遠端部から連なって設けられる構成に限定されず、たとえば被覆部４６の中央を支持するように構成されてもよい。また支持部４７は、被覆部４６のみであってもＬＥＤ２１を覆う構造を保持できるのであれば、設けなくてもよい。
【００７５】
複数のＬＥＤ２１のうちの一部のＬＥＤ２１からの出射光の一部を、拡散板８２の端部８７に向けて反射させ、かつ反射されなかった残余の光の一部を透過させることによって、第１反射部４０ａに対応する拡散板８２の領域部分へ入射される光量を確保しながら、拡散板８２の端部８７に、ＬＥＤ２１からの出射光を充分な光量で入射させることができるので、面方向における拡散板８２の入射光量を均一にすることができる。そのため、バックライト装置２０は、ＬＥＤ２１からの出射光を、液晶パネル８０に向けて効率よく拡散することができ、液晶パネル８０における輝度均一性の低下を抑制することができる。
【００７６】
第２反射部４０ｂの材質は、バックライト装置１０の第２反射部４ｂと同様である。
【００７７】
本実施形態では、第１反射部４０ａと第２反射部４０ｂとが別体として形成されている。
【００７８】
第１反射部４０ａの被覆部４６および支持部４７のそれぞれには、被覆部４６と支持部４７との連結部分と反対側の端部に、第２反射部４０ｂと接触する基部４０ｅが形成される。基部４０ｅは、光源基板２と平行な平板状である。反射体４０は、基部４０ｅが光源基板２と第２反射部４０ｂとの間に挿入され、リベットなどによって固定される。すなわち、基部４０ｅは第２反射部４０ｂによって被覆されており、これによってＬＥＤ２１からの出射光を、一層効率よく照射させることができる。
【符号の説明】
【００７９】
１  バックライトシャーシ
２  光源基板
４，４０  反射体
４ａ，４０ａ  第１反射部
４ｂ，４０ｂ  第２反射部
４ｃ，４０ｃ  開口部
５  反射面
６，４６  被覆部
７，４７  支持部
１０，２０  バックライト装置
２１  ＬＥＤ
４０ｅ  基部
８０  液晶パネル
８１  光学シート
８２  拡散板
１００  液晶表示装置
【図１】
2012243653.tif 000003
【図２】
2012243653.tif 000004
【図３】
2012243653.tif 000005
【図４】
2012243653.tif 000006
【図５】
2012243653.tif 000007
【図６】
2012243653.tif 000008
【図７】
2012243653.tif 000009
【図８】
2012243653.tif 000010
【図９】
2012243653.tif 000011
【図１０】
2012243653.tif 000012
【図１１】
2012243653.tif 000013